(57)【特許請求の範囲】
【請求項１】
ＳＥＣＡＭ方式の映像信号に文字信号を重畳することによって文字表示を可能とするための文字表示回路であって、
上記ＳＥＣＡＭ方式の映像信号を受ける入力バッファと、
上記入力バッファの出力端子に一端が結合された第１抵抗と、
第１直流電圧を出力する第１電圧源と、
一端に上記第１直流電圧を受け、ＳＥＣＡＭ文字信号に応答して選択的に電圧を出力する第１スイッチ回路と、
一端が上記第１スイッチ回路の他端に結合された第２抵抗と、
一端が上記第２抵抗の他端に結合され、他端が上記第１抵抗の他端に結合されて上記第１直流電圧に基づく第１電圧を上記第１抵抗の他端に印加する第３抵抗と、
上記第１抵抗の他端に入力端子が結合された出力バッファと、
上記第２抵抗と上記第３抵抗の結合点と上記第１抵抗の一端との間に結合された容量素子と、
第２直流電圧を出力する第２電圧源と、
一端に上記第２直流電圧を受け、縁取り信号に応答して選択的に電圧を出力する第２スイッチ回路と、
一端が上記第２スイッチ回路の他端に結合され、他端が上記第１抵抗の他端に結合され上記第２直流電圧に基づいて上記第１電圧より小さい第２電圧を上記第１抵抗の他端に印加する第４抵抗と、を具備し、
上記第１電圧を上記ＳＥＣＡＭ方式の映像信号に重畳することで上記映像信号に文字表示データを付加し、上記文字表示データの周囲に上記文字表示データより輝度の小さい縁取りデータを付加することを特徴とする文字表示回路。
【請求項２】
請求項１において、
上記第１電圧は、上記第２抵抗と上記第３抵抗との合成抵抗と上記第１抵抗との抵抗比と、上記第１直流電圧とに基づいた電圧であることを特徴とする文字表示回路。
【請求項３】
請求項１又は２において、
上記第２電圧は、上記第１抵抗と上記第４抵抗との抵抗比と、上記第２直流電圧とに基づいた電圧であることを特徴とする文字表示回路。
【発明の詳細な説明】
【０００１】
【発明の属する技術分野】
本発明は、ＳＥＣＡＭ方式の映像信号に文字信号を重畳するための技術に関し、例えばビデオシステムに適用して有効な技術に関する。
【０００２】
【従来の技術】
ビデオシステム（ＶＴＲ）において、録画予約などの用途で画面上に文字を表示する機能が設けられている。このような機能をＯＳＤ（Ｏｎ  Ｓｃｒｅｅｎ  Ｄｉｓｐｌａｙ）という。代表的な映像信号伝送方式としてはＮＴＳＣ方式、ＰＡＬ方式、ＳＥＣＡＭ方式を挙げることができる。
【０００３】
ＮＴＳＣ方式は、１９５３年にアメリカＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）によって認められた方式であり、赤、青、緑の３原色信号から１次変換で導かれたＥｙ’、Ｅｉ’、Ｅｑ’を伝送信号とし、帯域幅をそれぞれ４、１．５、０．５ＭＨｚに割り当てる。輝度信号Ｅｙは、白黒テレビジョンの場合と同様に送信されるが、二つの色信号成分Ｅｉ’、Ｅｑ’は副搬送波を直角２相変調して搬送色信号の形で輝度信号に重畳して伝送される。
【０００４】
ＰＡＬ方式は、西ドイツが開発した方式でＮＴＳＣ方式を少し変形したものである。ＮＴＳＣ方式における色信号成分（色差信号）の極性を走査線毎に変転して送信するもので、受信側では１ライン遅延線を使用して、搬送色信号を２本の走査線について平均することで、副搬送波位相歪みを相殺する。
【０００５】
ＳＥＣＡＭ方式は、ＮＴＳＣ方式やＰＡＬ方式とは、搬送色信号の構成において異なる。二つの色差信号は線順次で副搬送波周波数変調して伝送され、受信側では１ライン遅延線を用いて同時信号に変換される。
【０００６】
尚、映像信号伝送方式について記載された文献の例としては、昭和５８年８月２０日に株式会社オーム社から発行された「電子通信ハンドブック（第１５５５頁〜）」がある。
【０００７】
【発明が解決しようとする課題】
上記のようにＳＥＣＡＭ方式は、ＮＴＳＣ方式及びＰＡＬ方式に比べて独特の伝送方式とされるため、ＯＳＤ表示を可能とする場合には、ＮＴＳＣ方式やＰＡＬ方式の回路を使用することができず、ＳＥＣＡＭ方式のための専用回路を設ける必要がある。本願発明者の検討によれば、ＮＴＳＣ方式及びＰＡＬ方式では、白、黒又は灰色のＯＳＤ表示は、発振器が無くてもＤＣ（直流）の切り換えのみで可能とされるのに対して、ＳＥＣＡＭ方式におけるＯＳＤ表示は、２種類の周波数を１ライ毎に交互に付加する必要があるため、それを実現するための２種類の発振回路が必要とされ、そのために回路規模が大きくなると考えられる。
【０００８】
また、スイッチの切り換えによって二つの信号を交互に伝送するため、切り換えの瞬間にＳＥＣＡＭ方式の周波数帯域から外れた高周波成分が発生し、それはＯＳＤ文字表示におけるノイズになる。
【０００９】
本発明の目的は、ＳＥＣＡＭ方式における文字表示回路の簡素化を図ることにある。また、本発明の別の目的は、ＳＥＣＡＭ方式のＯＳＤ文字表示におけるノイズ低減を図ることにある。
【００１０】
本発明の前記並びにその他の目的と新規な特徴は本明細書の記述及び添付図面から明らかになるであろう。
【００１１】
【課題を解決するための手段】
本願において開示される発明のうち代表的なものの概要を簡単に説明すれば下記の通りである。
【００１２】
すなわち、ＳＥＣＡＭ方式の映像信号を取り込むための第１抵抗と、この第１抵抗に結合された第２抵抗と、直流電圧を出力する電圧源と、入力されたＳＥＣＡＭ文字信号に応じて電圧源の出力電圧を上記第２抵抗を介してＳＥＣＡＭ方式の映像信号に重畳するためのスイッチ回路とを設ける。
【００１３】
上記の手段によれば、スイッチは、ＳＥＣＡＭ文字信号に応じて電圧源の出力電圧を上記第２抵抗を介してＳＥＣＡＭ方式の映像信号に重畳する。この信号重畳によれば、文字部分に背景画像との輝度差をつけることができ、それにより文字の可視化が達成される。上記第２抵抗を介して電圧源の出力電圧をＳＥＣＡＭ方式の映像信号に重畳するのに、ＳＥＣＡＭ方式対応の２種類の発振回路やそれの周辺回路は不要であり、このことが、回路の簡素化を達成する。また、ＳＥＣＡＭ方式対応の２種類の発振回路の出力信号を交互に伝達する方式ではないので、当該２種類の発振回路の出力信号の切り替えの瞬間にＳＥＣＡＭ映像信号の周波数帯域から外れた高周波成分が発生するのを回避することができ、このことが、ノイズ低減を達成する。
【００１４】
【発明の実施の形態】
図１４には、本発明にかかる電流出力回路が適用されたビデオシステムが示される。
【００１５】
図１４に示されるビデオシステム１４０は、特に制限されないが、放送局からの電波を受信するためのチューナー１４１、このチューナー１４１からの映像信号又は外部入力端子から入力された映像信号をカセットテープ１５１へ記録するための記録ブロック１４２、カセットテープ１５１への信号記録及び記録信号の読み出しのためのメカニズムブロック１４３、上記カセットテープ１５１から読出された映像信号を再生して、ＡＶ（オーディオ・ビジュアル）モニタへ出力するための再生ブロック１４５、各部の動作電源を供給するための電源供給ブロック１４６、及び全体の動作制御を司るシステムコントロールブロック１４４とを含む。
【００１６】
上記メカニズムブロック１４３は、カセットテープ１５１への磁気記録及びその読み出しのためのビデオヘッド、上記カセットテープ１５１の走行のためのサーボＩＣ（半導体集積回路）、及び制御用マイクロコンピュータなどを含む。
【００１７】
上記再生ブロック１４５は、カセットテープ１５１から読み出された輝度信号を処理する輝度信号系１５３、色信号を処理する色信号系１５４、それらの出力信号を合成するための合成回路１５５、この合成回路１５５の出力信号と上記録ブロック１４５の出力信号とを選択するするための選択回路１５６、この選択回路１５６の選択出力信号に文字情報を加算する文字加算部１３０、及びその出力信号を外部出力するための出力アンプ１５７とを含む。
【００１８】
図１３には、上記文字加算部１３０の構成例が示される。
【００１９】
文字加算部１３０は、特に制限されないが、公知の半導体集積回路製造技術により、単結晶シリコン基板などの一つの半導体基板に形成される。
【００２０】
入力端子ＣＶｉｄｅｏＩＮから入力された映像信号は、バッファアンプ１３８を介してＳＥＣＡＭ方式ＯＳＤ文字表示回路１０に入力され、ここでＳＥＣＡＭ方式文字信号６１に基づく文字加算が行われた後にバッファアンプ１３９を介して出力端子ＣＶｉｄｅｏＯＵＴから出力される。
【００２１】
上記バッファアンプ１３８の出力信号に基づいて垂直同期信号Ｖｓｙｎｃと水平同期信号Ｈｓｙｎｃを生成するための同期分離回路１３３が設けられる。水平同期信号Ｈｓｙｎｃは、後段のＰＬＬ（フェーズ・ロックド・ループ）回路１３７で安定化される。安定化された水平同期信号ＨｓｙｎｃＰＬＬは制御回路７６及びドットクロック発生回路１３４に入力される。ドットクロック発生回路１３４は、入力された水平同期信号ＨｓｙｎｃＰＬＬに同期してドットクロック信号を生成する。このドットクロック信号は制御回路１３２に伝達される。表示データを格納するための表示データＲＡＭ（ランダム・アクセス・メモリ）１３５と、文字データを格納するための文字データＲＯＭ（リード・オンリー・メモリ）１３６が設けられ、上記制御回路１３２の制御下で文字データＲＯＭから読み出されたＳＥＣＡＭ文字信号６１が上記ＳＥＣＡＭ方式ＯＳＤ文字表示回路１０に入力される。
【００２２】
図１にはＳＥＣＡＭ方式ＯＳＤ文字表示回路１０の構成例が示される。
【００２３】
ＳＥＣＡＭ方式ＯＳＤ文字表示回路１０は、バッファアンプ１３８の出力端子とバッファアンプ１３９の入力端子とを結合する抵抗１１と、この抵抗１１のバッファアンプ１３９側端子（「ノード１３」という）に結合された抵抗１２、電圧源１０、及びＳＥＣＡＭ文字信号６１に基づいて上記電圧源１０の出力電圧Ｖｏを上記抵抗１２に供給するためのスイッチ回路１４とを含んで成る。ＳＥＣＡＭ文字信号６１に基づいて上記電圧源１０の出力電圧Ｖｏが上記抵抗１２に断続的に供給されることにより、バッファアンプ１３８を介して入力されたＳＥＣＡＭ映像信号（コンポジットビデオ信号）に、当該映像信号と同色、且つ、当該映像信号とは輝度が異なるＯＳＤ文字が重畳される。つまり、ＳＥＣＡＭ文字を表示するときに、ＳＥＣＡＭ文字信号６１によりスイッチ回路１４がオンすることで、抵抗１１，１２の抵抗比と、電圧源１５の出力電圧Ｖｏを利用してノード１３への直流電圧加算が行われることで、映像信号の振幅変調が行われる。電圧の高低は輝度すなわち文字の明暗を表すので、ＯＳＤ文字は部分は背景とは異なる輝度で表示される。その輝度差によって文字が可視化される。
【００２４】
図２には上記スイッチ回路１４の構成例が示される。
【００２５】
図２に示されるようにスイッチ回路１４は、特に制限されないが、ｐチャンネル型ＭＯＳトランジスタ２１とｎチャンネル型ＭＯＳトランジスタ２２とが並列接続され、それにＳＥＣＡＭ文字信号６１の論理を反転してｐチャンネル型ＭＯＳトランジスタ２１のゲート電極に供給するためのインバータ２３とを含む。ＳＥＣＡＭ文字信号６１がハイレベルのとき、ｐチャンネル型ＭＯＳトランジスタ２１とｎチャンネル型ＭＯＳトランジスタ２２との双方がオンされることにより電圧源１５の出力端子が抵抗１２に結合される。
【００２６】
上記電圧源１５は、特に制限されないが、図３に示されるように二つの抵抗３１，３２を直列接続して成るものを適用することができる。抵抗３１の一端は高電位側電源Ｖｄｄに結合され、抵抗３２の一端は低電位側電源Ｖｓｓに結合される。そして、二つの抵抗３１，３２の直列接続ノードから、それらの抵抗比で決定させる所定レベルの電圧Ｖｏの出力端子が引き出される。
【００２７】
図６には、図１に示されるＳＥＣＡＭ方式ＯＳＤ文字表示回路１０の比較対象とされる回路が示される。
【００２８】
図６に示されるＳＥＣＡＭ方式ＯＳＤ文字表示回路６０は、４．２５ＭＨｚの信号を発生するための第１発振回路６３と、４．４０６２５ＭＨｚの信号を発生するための第２発振回路６４と、ライン切替信号６２に応じて上記第１発振回路６３の出力信号と第２発振回路６４の出力信号とを選択するためのスイッチ回路６８、カップリング容量６６、電圧源６７、ＳＥＣＡＭ文字信号６１に応じてオンオフ制御されるスイッチ回路６５とを含む。上記第１発振器６３の出力信号や上記第２発振器６４の出力信号は、カップリング容量６６を介してスイッチ回路６５に伝達される。このとき、上記第１発振器６３の出力信号や上記第２発振器６４の出力信号は電圧源６７の出力直流電圧に重畳される。つまり、ＳＥＣＡＭ方式では、二つの中心周波数の発振回路として、第１発振回路６３と第２発振回路６４とがあり、ライン切替信号６２の制御下でスイッチ回路６８が切り替わることにより、入力されたＳＥＣＡＭ映像信号と同じ中心周波数がスイッチ回路６８で選択され、それがカップリング容量６６を介して電圧源６７の直流電圧に重畳される。
【００２９】
図４には、ＳＥＣＡＭ方式での表示例として、青色の背景に、黄色い皿に赤い林檎がのったＴＶ（テレビジョン）画面４１と、そのような画面を構成するためのＳＥＣＡＭ映像信号４２とが示される。ＳＥＣＡＭ方式の映像信号（コンポジットビデオ信号）では、中心周波数からの周波数変調度で色相が決まり、ＤＣ電圧で輝度すなわち色の明るさが決まる。ＯＳＤ文字を付加するには、ＳＥＣＡＭ文字信号６１によって背景信号から発振回路出力信号へ切り換える。このため、文字信号は中心周波数と同じ周波数であるため、ＴＶ表示画面においては白、黒、又は灰色のＯＳＤ文字として表示される。
【００３０】
ＮＴＳＣ方式やＰＡＬ方式の場合、白、黒、又は灰色のＯＳＤ表示は直流電圧の切り替えのみで表示可能であるのに対して、ＳＥＣＡＭ方式では２種類の周波数を１ライン毎に交互に付加する必要があるために、図６に示されるように、ＳＥＣＡＭ方式専用の２種類の発振器６３，６４が必要とされ、その分、回路規模が大きくなる。また、スイッチ回路６８の切り替えによって二つの信号を交互に伝達するため、切り替えの瞬間にＳＥＣＡＭ映像信号の周波数帯域から外れた高周波成分が発生し、それがＯＳＤ文字にノイズとして現れる。例えば図５に示されるように、背景の映像信号ＳＥＣＡＭ文字信号６１によって切り替わる瞬間の信号は、ＳＥＣＡＭ方式の映像帯域信号の周波数帯域外の高周波成分５２とされる。高周波成分は正常な映像得信号ではではない無いため、映像上の背景とＯＳＤ文字との境界部分にノイズ５３を発生させる。
【００３１】
これに対して、図１に示されるＳＥＣＡＭ方式ＯＳＤ文字表示回路１０においては、入力されたＳＥＣＡＭ文字信号６１に応じてスイッチ回路１４をオンオフ制御することにより、映像信号に直流電圧Ｖｏを加算して振幅変調しているので、ＯＳＤ文字部分に背景画像との輝度差をつけることができ、それによりＯＳＤ文字の可視化が行われるため、図６に示される第１発振回路６３、第２発振回路６４、スイッチ回路６８、及びカップリング容量６６が不要とされ、それによって回路構成が大幅に簡素化される。また、図６に示される回路構成では、スイッチ回路６８の切り替えによって二つの信号を交互に伝達するため、切り替えの瞬間にＳＥＣＡＭ映像信号の周波数帯域から外れた高周波成分が発生し、それがＯＳＤ文字にノイズとして現れるが、図１に示される回路構成では、スイッチ回路６８の切り替えによって二つの信号を交互に伝達する方式ではいので、切り替えの瞬間にＳＥＣＡＭ映像信号の周波数帯域から外れた高周波成分が発生することがなく、そのためにスイッチの切り替えに起因するノイズ発生が発生しないので、良好なＯＳＤ文字表示が可能となる。
【００３２】
上記した例によれば、以下の作用効果を得ることができる。
【００３３】
（１）入力されたＳＥＣＡＭ文字信号６１に応じてスイッチ回路１４をオンオフ制御することにより、映像信号に直流電圧Ｖｏを加算して振幅変調しているので、ＯＳＤ文字部分に背景画像との輝度差をつけることができ、それによりＯＳＤ文字の可視化が行われるため、図６に示される第１発振回路６３、第２発振回路６４、スイッチ回路６８、及びカップリング容量６６が不要とされ、それによって回路構成が大幅に簡素化される。
【００３４】
（２）上記（１）の作用効果により、ＳＥＣＡＭ方式ＯＳＤ文字表示回路１０のチップ占有面積の縮小を図ることができるので、ＳＥＣＡＭ方式ＯＳＤ文字表示回路１０を安価に提供することができ、それを搭載するマイクロコンピュータなどの半導体集積回路のコスト低下を図ることができる。
【００３５】
（３）ＳＥＣＡＭ方式ＯＳＤ文字表示回路１０は、スイッチ回路６８の切り替えによって二つの信号を交互に伝達する方式ではなく、切り替えの瞬間にＳＥＣＡＭ映像信号の周波数帯域から外れた高周波成分が発生することがないため、スイッチの切り替えに起因するノイズ発生の発生を回避することができ、良好なＯＳＤ文字表示が可能となる。
【００３６】
次に、ＳＥＣＡＭ方式ＯＳＤ文字表示回路の別の構成例について説明する。
【００３７】
図７に示されるＳＥＣＡＭ方式ＯＳＤ文字表示回路１０が、図１に示されるのと相違するのは、カーソル又は縁取り表示回路７２を設けた点である。
【００３８】
このカーソル又は縁取り表示回路７２によれば、例えば背景の映像信号よりも高い輝度のＯＳＤ文字が表示されるとき、背景の映像信号よりも低い輝度のカーソル又は縁取りをＯＳＤ文字の周囲に付加することができる。このカーソル又は縁取り表示回路７２では、カーソル又は縁取り信号７１によって制御されるスイッチ回路７４を介して電圧源７５に接続された抵抗７３が、前述のＳＥＣＡＭ方式のＯＳＤ文字表示回路１０と同位置のノード１３に接続される。カーソル又は縁取りの表示は、スイッチ７４をオンにして、抵抗１１と抵抗７３の抵抗比と、電圧源７５の電圧を利用して入力信号への直流加算及び入力信号の振幅変調が行われることで可能とされる。例えば背景よりも高い輝度のＯＳＤ文字の前後に、背景よりも低い輝度のカーソル又は縁取りを付加することができる。
【００３９】
図８には、図７に示されるＳＥＣＡＭ方式のＯＳＤ文字表示回路１０を採用した場合の表示例と各種信号、すなわち縁取りのあるＯＳＤ文字「Ｉ」をＴＶ画面８１に表示したときの画面中Ａ−Ａ’に対応するＳＥＣＡＭ映像信号（コンポジットビデオ信号）８２、ＳＥＣＡＭ文字信号６１、ＳＥＣＡＭ縁取り信号７１の関係が示される。
【００４０】
ＳＥＣＡＭ文字信号６１とＳＥＣＡＭ縁取り信号７１との切り替えにより、入力された映像信号の輝度を上下させ、ＳＥＣＡＭ映像信号８２として出力することによって、文字と背景とのコントラストを強調することができるので、ＯＳＤ文字をより明瞭に表示できるという利点がある。
【００４１】
図９に示されるＳＥＣＡＭ方式のＯＳＤ文字表示回路１０が、図７に示される回路と相違するのは、抵抗９３を設けた点である。抵抗９３は、ノード１３と、バッファアンプ１３９との間に設けられる。抵抗９３のバッファアンプ１３９側端子をノード９４とすると、このノード９４に、カーソル又は縁取り表示回路７２が接続される。このように、ＳＥＣＡＭ文字表示系と、カーソル又は縁取り表示系との間に抵抗９３を介在させることで、両者の緩衝防止を図ることができる。また、抵抗９３を設けた場合には、スイッチ回路１４，７４によりＳＥＣＡＭ文字とカーソル又は縁取りを切り替える瞬間に、ＳＥＣＡＭ文字表示系と、カーソル又は縁取り表示系との間に不所望な電流が流れて映像信号にノイズが重畳されるのを緩和することができる。
【００４２】
図１０に示されるＳＥＣＡＭ方式のＯＳＤ文字表示回路１０が、図１に示される回路と相違するのは、スイッチ回路１４と抵抗１２との結合ノードと、低電位側電源Ｖｓｓとの間に容量１０１を設けた点である。スイッチ回路１４がオフされている期間に、ＳＥＣＡＭ映像信号によって容量１０１が充電される。スイッチ１４がオンされると、容量１０４には電圧源１５の出力電圧が伝達され、その出力電圧によって容量１０４の再充電が行われるため、この再充電に必要な期間だけ、スイッチ回路１４の切り替わり時の映像信号波形が鈍る。このことから、スイッチ回路１４の切り替えに伴う高周波成分が減少されるため、スイッチ回路１４の切り替わり時のノイズ低減を図ることができる。
【００４３】
図１１に示されるＳＥＣＡＭ方式のＯＳＤ文字表示回路１０が、図１に示される回路と相違するのは、容量１１１を設けた点である。容量１１は、映像信号入力側の抵抗１１に並列接続されることで、ハイパスフィルタとして機能する。つまり、容量１１１を設けることにより、抵抗１１によるゲイン低下を防ぐことができる。また、図１０に示される回路と同様に、容量１１１の充電に要する時間を利用して信号波形を鈍らせることができるので、ノイズ低減を図ることができる。
【００４４】
図１２に示されるＳＥＣＡＭ方式のＯＳＤ文字表示回路１０が、図１１に示される回路と相違するのは、抵抗１２及び容量１１１とノード１３との間に抵抗１２１を設けた点である。この抵抗１２１は、図９に示される回路における抵抗９３と同様に、ＳＥＣＡＭ文字表示系と、カーソル又は縁取り表示系との間の電流漏出を低減する。
【００４５】
以上本発明者によってなされた発明を具体的に説明したが、本発明はそれに限定されるものではなく、その要旨を逸脱しない範囲で種々変更可能であることはいうまでもない。
【００４６】
例えば、図１、図７、図９、図１１、及び図１２において、抵抗１２とスイッチ回路１４との配置箇所は交換可能である。また、図７及び図９において、抵抗７３とスイッチ回路７４との配置箇所は交換可能である。さらに、上記の例において抵抗１１，１２，７３，９３，１２１は拡散層及び多結晶シリコン等の抵抗素子の他に、ｐチャンネル型ＭＯＳトランジスタとｎチャンネル型ＭＯＳトランジスタのソース・ドレインを共通化したもの、あるいはｐチャンネル型ＭＯＳトランジスタ又はｎチャンネル型ＭＯＳトランジスタのみで構成することができる。その場合において、ＭＯＳトランジスタのゲート電極には、高電位側電源電圧又は低電位側電源電圧、あるいは適宜のバイアス電圧を供給することができる。容量１０１，１１１は、ｎチャンネル型ＭＯＳトランジスタあるいはｐチャンネル型ＭＯＳトランジスタのゲートと基板間の酸化膜容量や、他の層間膜容量で形成することができる。
【００４７】
以上の説明では主として本発明者によってなされた発明をその背景となった利用分野であるビデオシステムに適用した場合について説明したが、本発明はそれに限定されるものではなく、テレビ受像器にも適用することができる。
【００４８】
本発明は、少なくともＳＥＣＡＭ方式の映像信号を取り扱うことを条件に適用することができる。
【００４９】
【発明の効果】
本願において開示される発明のうち代表的なものによって得られる効果を簡単に説明すれば下記の通りである。
【００５０】
すなわち、ＳＥＣＡＭ文字信号に応じたスイッチの動作により、第２抵抗を介して電圧源の出力電圧をＳＥＣＡＭ方式の映像信号に重畳することで、文字部分に背景画像との輝度差をつけることができ、それにより文字の可視化が達成される。ＳＥＣＡＭ文字信号に応じて電圧源の出力電圧を第２抵抗を介してＳＥＣＡＭ方式の映像信号に重畳するのに、ＳＥＣＡＭ方式対応の２種類の発振回路やそれの周辺回路は不要であるため、回路の簡素化を図ることができる。また、ＳＥＣＡＭ方式対応の２種類の発振回路の出力信号を交互に伝達する方式ではないので、当該２種類の発振回路の出力信号の切り替えの瞬間にＳＥＣＡＭ映像信号の周波数帯域から外れた高周波成分が発生するのを回避することができ、それによてノイズ低減を図ることができる。
【図面の簡単な説明】
【図１】本発明にかかる文字表示回路の構成例であるＳＥＣＡＭ方式ＯＳＤ文字表示回路の構成例回路図である。
【図２】上記ＳＥＣＡＭ方式ＯＳＤ文字表示回路におけるスイッチ回路の構成例回路図である。
【図３】上記ＳＥＣＡＭ方式ＯＳＤ文字表示回路における電圧源の構成例回路図である。
【図４】ＳＥＣＡＭ方式における映像信号と表示例の説明図である。
【図５】上記ＯＳＤ文字表示回路の比較対象とされる回路を採用した場合のノイズ発生についての説明図である。
【図６】上記ＯＳＤ文字表示回路の比較対象とされる回路の構成例回路図である。
【図７】上記ＯＳＤ文字表示回路の別の構成例回路図である。
【図８】図７に示される回路を採用した場合の表示例説明図である。
【図９】上記ＯＳＤ文字表示回路の別の構成例回路図である。
【図１０】上記ＯＳＤ文字表示回路の別の構成例回路図である。
【図１１】上記ＯＳＤ文字表示回路の別の構成例回路図である。
【図１２】上記ＯＳＤ文字表示回路の別の構成例回路図である。
【図１３】上記ＯＳＤ文字表示回路を含む文字加算部の構成例ブロック図である。
【図１４】上記文字加算部を含むビデオシステムの構成例ブロック図である。
【符号の説明】
１０  ＳＥＣＡＭ方式ＯＳＤ文字表示回路
１１，１２  抵抗
１４  スイッチ回路
１５  電圧源
６１  ＳＥＣＡＭ文字信号
１３０  文字加算部
１３２  制御回路
１３３  同期分離回路
１３４  ドットクロック発生回路
１３５  表示データＲＡＭ
１３６  文字データＲＯＭ
１３７  ＰＬＬ回路
１３８，１３９  バッファアンプ
【図１】
0003910332.tif 000002
【図２】
0003910332.tif 000003
【図３】
0003910332.tif 000004
【図４】
0003910332.tif 000005
【図５】
0003910332.tif 000006
【図６】
0003910332.tif 000007
【図７】
0003910332.tif 000008
【図８】
0003910332.tif 000009
【図９】
0003910332.tif 000010
【図１０】
0003910332.tif 000011
【図１１】
0003910332.tif 000012
【図１２】
0003910332.tif 000013
【図１３】
0003910332.tif 000014
【図１４】
0003910332.tif 000015